(57)【要約】  自己粘着性インデックスタブであって、（ａ）前面及び後面を有し、かつ第１の表示セクション、第１の固定セクション、及び少なくとも１つの補強セクションを備える本体と、（ｂ）少なくとも第１の固定セクション及び補強セクションに対応して本体の後面に配設される接着層とを備え、  （ｉ）第１の表示セクションが、第１の方向における所定の幅と、第１の方向に平行な第１及び第２の縁部と、第１の方向と直角に交差する第２の方向に平行に又は平行ではなく延在する第３及び第４の縁部とを有し、  （ｉｉ）第１の固定セクションが、第１の表示セクションの第１の縁部に接続され、かつ第１の方向において第１の表示セクションの幅より長い幅を有し、  （ｉｉｉ）補強セクションが、第１の表示セクションの第３及び第４の縁部のうちの少なくとも１つに隣接して配設され、かつ第１の固定セクションに接続される、自己粘着性インデックスタブ。【選択図】  図１
2014524851.tif 000002
【特許請求の範囲】
【請求項１】
インデックスタブであって、（ａ）前面及び後面を有し、かつ第１の表示セクション、第１の固定セクション、及び補強セクションを備える本体と、（ｂ）少なくとも前記第１の固定セクション及び前記補強セクションに対応して前記本体の前記後面に配設される接着層とを備え、
（ｉ）前記第１の表示セクションが、第１の方向の所定の幅と、前記第１の方向に平行な第１及び第２の縁部と、前記第１の方向と直角に交差する第２の方向に平行に又は平行ではなく延在する第３及び第４の縁部とを有し、
（ｉｉ）前記第１の固定セクションが、前記第１の表示セクションの前記第１の縁部に接続され、かつ前記第１の方向において前記第１の表示セクションの幅より長い幅を有し、
（ｉｉｉ）前記補強セクションが、前記第１の表示セクションの前記第３及び第４の縁部のうちの少なくとも１つに隣接して配設され、かつ前記第１の固定セクションに接続される、インデックスタブ。
【請求項２】
前記第１の固定セクションの前記幅が、前記第１の表示セクションの前記幅と前記第１の方向における前記補強セクションの幅との和に等しい、請求項１に記載のインデックスタブ。
【請求項３】
前記第１の固定セクション及び前記補強セクションに対応する前記本体が、透明プラスチック層から形成される、請求項１又は２に記載のインデックスタブ。
【請求項４】
前記本体が、単一層である、請求項１〜３のいずれか一項に記載のインデックスタブ。
【請求項５】
前記補強セクションが、前記第１の固定セクション側の第１の端部から前記第２の方向における第２の端部に向かって前記第１の方向において内側に傾斜される、請求項１〜４のいずれか一項に記載のインデックスタブ。
【請求項６】
前記本体が、前記第１の表示セクションの前記第２の縁部を対称軸として、前記第１の表示セクションに対して軸対称に配設される第２の表示セクションを更に含む、請求項１〜５のいずれか一項に記載のインデックスタブ。
【請求項７】
前記本体が、前記第１の表示セクションの前記第２の縁部を前記対称軸として、前記第１の固定セクションに対して軸対称に配設されて前記第２の表示セクションに接続される第２の固定セクションを更に含む、請求項６に記載のインデックスタブ。
【請求項８】
当該インデックスタブが、実質的に平面形状であり、その上の前記接着層が、ライナーに対して剥離可能に結合される、請求項１に記載のインデックスタブ。
【請求項９】
第１の表面を有する剥離ライナーシートであって、それに剥離可能に結合される請求項１に記載のインデックスタブのアレイを備える、剥離ライナーシート。
【請求項１０】
前記第１の固定セクションの前記接着剤がシートの第１の側に結合され、前記補強セクションの前記接着剤が前記シートの第２の側に結合されるように、前記第１の側及び前記第２の側を有する前記シートの縁部に結合される、請求項１に記載のインデックスタブ。
【発明の詳細な説明】
【技術分野】
【０００１】
本発明は、インデックスタブ、具体的には自己粘着性インデックスタブに関する。
【背景技術】
【０００２】
例えば、本のページ又はノートのページなどのシート部材の縁部に取り付けられる見出しを提供するために使用される様々な種類の自己粘着性インデックスタブが既知である。具体的な例が米国特許第６，５９４９，３３号（Ａｔｔｉａら）に開示され、そこでは所望の情報が表示され得る一対の表示セクションと、所望に応じてインデックスタブをシートに取り付けるために一対の表示セクションのうちの１つから延在する固定セクションとを有するインデックスタブを開示している。日本公告実用新案公報平３−１８２１９号では、一対の表示セクションと、一対の表示セクションを覆う透明部材とを有する別の例示的なインデックスタブを開示している。
【発明の概要】
【発明が解決しようとする課題】
【０００３】
従来のインデックスタブで、インデックスタブがシート部材に固定された後、タブが手で掴まれ、ファイルをめくるときなど、例えば、シートを持ち上げるなど、動かされるとき、シート部材が、インデックスタブが固定されるシート部材の縁部とインデックスタブとの間の境界で引き裂かれる場合がある。自己粘着性インデックスタブが接着されるシート部材を引き裂くことがより困難である自己粘着性インデックスタブに対する必要性が存在する。
【課題を解決するための手段】
【０００４】
簡単に要約すれば、本発明のインデックスタブは、（ａ）前面及び後面を有し、かつ第１の表示セクション、第１の固定セクション、及び少なくとも１つの補強セクションを備える本体と、（ｂ）少なくとも第１の固定セクション及び補強セクションに対応して本体の後面に配設される接着層とを備え、
（ｉ）第１の表示セクションが、第１の方向において所定の幅と、第１の方向に平行な第１及び第２の縁部と、第１の方向と直角に交差する第２の方向に平行に又は平行ではなく延在する第３及び第４の縁部とを有し、
（ｉｉ）第１の固定セクションが、第１の表示セクションの第１の縁部に接続され、かつ第１の方向において第１の表示セクションの幅より長い幅を有し、
（ｉｉｉ）補強セクションが、第１の表示セクションの第３及び第４の縁部のうちの少なくとも１つに隣接して配設され、かつ第１の固定セクションに接続される。
【０００５】
本発明の新規インデックスタブは、シートの縁部に容易に適用されることが可能である。適用後、タブは、シートの引き裂きを驚くほど低減されることで、例えば、手で掴まれ、例えば、シートを持ち上げ、ファイルのページをめくるなどのように動かされてもよい。したがって、本発明のインデックスタブは、従来の自己粘着性インデックスタブより比較的低い引き裂き強度を示すシートと共に使用されることが可能である。
【０００６】
本発明について、図面を参照して更に説明することにする。
【図面の簡単な説明】
【０００７】
【図１】本発明の例示的な第１の実施形態によるインデックスタブの平面図である。
【図２】図１の線ＩＩ−ＩＩにおける断面図である。
【図３】図１の線ＩＩＩ−ＩＩＩにおける断面図である。
【図４】図１の線ＩＶ−ＩＶにおける断面図である。
【図５】図１に示されるインデックスタブをシートに固定する初期状態を示す概略平面図である。
【図６】図１に示されるインデックスタブをシートに固定する中間状態を示す概略平面図である。
【図７】図１に示されるインデックスタブをシートに固定する最終状態を示す概略平面図である。
【図８】図７の状態の後面側から見られた概略平面図である。
【図９】図７の線ＩＸ−ＩＸにおける断面図である。
【図１０】本発明の例示的な第２の実施形態によるインデックスタブの平面図である。
【図１１】図１０の線ＸＩ−ＸＩにおける断面図である。
【図１２】本発明の例示的な第３の実施形態によるインデックスタブの平面図である。
【図１３】本発明の例示的な第４の実施形態によるインデックスタブの平面図である。
【図１４】本発明の例示的な第５の実施形態によるインデックスタブの平面図である。
【図１５】本発明の例示的な第６の実施形態によるインデックスタブの平面図である。
【図１６】本発明の例示的な第７の実施形態によるインデックスタブの平面図である。
【図１７】本発明の例示的な第８の実施形態によるインデックスタブの平面図である。
【図１８】引張り試験に使用されるインデックスタブの平面構造を示す概略平面図である。
【図１９ａ】引張り試験に使用されるインデックスタブの層構造を示す概略断面図である。
【図１９ｂ】同上
【図２０】引張り試験に使用されるシートを示す概略平面図である。
【図２１】引張り試験に使用されるステンレス鋼板を示す概略平面図である。
【図２２】引張り試験を示す概略斜視図である。
【０００８】
これらの図は一定の縮尺ではなく、また、単に説明のためのものであって非限定的なものである。図面の説明では、同一要素が同一番号を付与され、重複の説明が省略される。また、図面の寸法の比は、実際の寸法の比と必ずしも一致しない。
【０００９】
【表１】
2014524851.tif 000003
【発明を実施するための形態】
【００１０】
上述されるように、概して本発明のインデックスタブは、（ａ）前面及び後面を有し、かつ第１の表示セクション、第１の固定セクション、及び補強セクションを備える本体と、（ｂ）少なくとも第１の固定セクション及び補強セクションに対応して本体の後面に配設される接着層とを備える。
【００１１】
第１の表示セクションは、第１の方向において所定の幅を有し、第１、第２、第３、及び第４の縁部によって画定される。第１及び第２の縁部は、第１の方向に平行である。第３及び第４の縁部はそれぞれ、第１及び第２の縁部の両方と交差し、第１の方向と直角に交差する第２の方向に平行に又は平行ではなく延在する。
【００１２】
第１の固定セクションは、第１の表示セクションの第１の縁部に接続され、かつ第１の方向において第１の表示セクションの幅より長い幅を有する。
【００１３】
補強セクションは、第１の表示セクションの第３及び第４の縁部のうちの少なくとも１つから分離されて、かつ隣接して、即ち、離間配置されるか、又は接して配設される。補強セクションは、第１の固定セクションに接続される。
【００１４】
本体
本体は、前面及び後面を有する実質的に平面部材である。本体は、第１の表示セクション、第１の固定セクション、及び補強セクションを含む、本明細書に記載されるようないくつかのセクションを有する。一部の例では、それぞれのセクションは、互いに接続され、後述されるような他の例では、互いに分離される。
【００１５】
本体は、単プライ部材であってもよく、あるいは多層（部分的又はその全体として）であってもよい。本体は、所望に応じて実質的に剛性かつ自立（後述されるような必要な折り目が達成され得ることが提供される）であってもよく、あるいは可撓性であってもよい。
【００１６】
本発明のインデックスタブの本体に使用されてもよい材料の具体的な例としては、ボンド紙、コート紙、マットコート紙、再生紙、グラシン、クラフト紙、合成紙、和紙などの紙、又はポリプロピレンフィルム、ポリエチレンフィルム、ポリエステルフィルム、ポリアクリルフィルム、ポリ塩化ビニルフィルム、ポリウレタンフィルムなどのプラスチックフィルムが挙げられる。当業者であれば、好適な材料を容易に選択することができるであろう。
【００１７】
第１の表示セクションの前面は、例えば、色分けなどの表示、筆記用具による手書き表記法によってそれに適用される説明文、それに対するラベルの添付、コンピュータによる印刷などを担うように適合される。
【００１８】
第１の固定セクションは、その後面の少なくとも一部分に接着剤を有し、使用中にシートに結合される。第１の固定セクションの前面は、所望される場合、表示を担うように適合されてもよい。第１の固定セクション及び第１の表示セクションは、第１の表示セクションの第１の縁部で接続される。
【００１９】
補強セクションはまた、その後面の少なくとも一部分に接着剤も有し、使用中にシートに結合される。補強セクションの前面は、所望される場合、表示を担うように適合されてもよい。補強セクションは、第１の固定セクションに接続される。補強セクション及び第１の表示セクションは、互いに接してもよいが、第１の表示セクションの第３及び第４の縁部の部分に沿った本体の深さを貫いて少なくとも完全切断によって分離される。
【００２０】
接着剤
接着剤は、インデックスタブの本体に接着し、かつシート又はタブが結合されるべきである他の基材に所望に応じて接着するように選択される。接着剤は、典型的に感圧性であるが、活性化接着剤（例えば、加熱活性化又は溶媒活性化など）は、所望される場合、特別な用途に対して本発明に従って使用され得る。所望される性能に応じて、接着剤は、シートに取り外し可能な接着を提供してもよく、あるいはそれに実質的に永久結合を提供してもよい。当業者であれば、所望の用途に好適な接着剤を容易に選択することができるであろう。
【００２１】
本発明に使用するために好適な接着剤の具体的な例としては、アクリル感圧接着剤、シリコーン感圧接着剤、合成ゴム感圧接着剤、天然ゴム感圧接着剤、ウレタン感圧接着剤などが挙げられる。アクリル感圧接着剤の特定の具体的な例としては、Ｔｏａ  Ｇｏｓｅｉ  Ｃｏ．，Ｌｔｄ．からのＡＲＯＮＴＡＣＫ（登録商標）ＨＶ−Ｃ９５００、Ｔｏａ  Ｇｏｓｅｉ  Ｃｏ．，Ｌｔｄ．からのＡＲＯＮＴＡＣＫ（登録商標）ＨＶ−Ｃ７５５９、ＤＩＣ  ＣｏｒｐｏｒａｔｉｏｎからのＦＩＮＥＴＡＣ  ＣＴ−５０３０、Ｔｏｙｏ  Ｃｈｅｍ  Ｃｏ．，Ｌｔｄ．からのＢＰＷ６１１２、及びＴｏｙｏ  Ｃｈｅｍ  Ｃｏ．，Ｌｔｄ．からのＢＰＷ６１１６が挙げられる。
【００２２】
実施形態
最も一般的な実施形態では、本発明のインデックスタブの本体は、第１の表示セクション、第１の固定セクション、及び少なくとも１つの補強セクションを有し、
（ｉ）第１の表示セクションが、第１の方向において所定の幅と、第１の方向に平行な第１及び第２の縁部と、第１の方向と直角に交差する第２の方向に平行に又は平行ではなく延在する第３及び第４の縁部とを有し、
（ｉｉ）第１の固定セクションが、第１の表示セクションの第１の縁部に接続され、かつ第１の方向において第１の表示セクションの幅より長い幅を有し、
（ｉｉｉ）補強セクションが、第１の表示セクションの第３及び第４の縁部のうちの少なくとも１つに隣接して配設され、かつ第１の固定セクションに接続される。
【００２３】
いくつかの実施形態では、本発明のインデックスタブは、
本発明の第１の態様は、第１の表示セクション、第１の固定セクション、及び補強セクションを含む単一又は複数の層として構成される本体と、少なくとも第１の固定セクション及び補強セクションに対応して本体の後面に配設される接着層とを含むインデックスタブである。このインデックスタブでは、第１の表示セクションは、第１の方向において所定の幅と、第１の方向に平行な第１及び第２の縁部と、第１の方向と交差する第２の方向に平行に又は平行ではなく延在する第３及び第４の縁部とを有する。第１の固定セクションは、第１の表示セクションの第１の縁部に接続され、かつ第１の方向において第１の表示セクションの幅より長い幅を有する。補強セクションは、第１の表示セクションの第３及び第４の縁部のうちの少なくとも１つに隣接して配設され、かつ第１の固定セクションに接続される。
【００２４】
このようなインデックスタブでは、補強セクションは、第１の表示セクションの第３及び第４の縁部のうちの少なくとも１つに隣接して配設され、かつ第１の固定セクションに接続される。使用中に、シートに適用されるとき、補強セクションは、インデックスタブが取り付けられる、本、ノート、メモ帳、文書などの１枚など、シートの比較的引き裂きやすいインデックスタブとの境界の近くに配設されるため、シートをより引き裂きにくくすることが可能である。
【００２５】
インデックスタブの別の態様では、第１の固定セクションの幅は、第１の表示セクションの幅と第１の方向における補強セクションの幅との和に等しくてもよい。結果として、第１の固定セクションの幅を長くすることが可能であり、補強セクションを配設するための位置を確保することが可能である。要素、第１の表示セクション、補強セクション、及び第１の固定セクションのそれぞれは、コンパクトかつ無駄なく本体上に配設されることが可能である。
【００２６】
インデックスタブの別の態様では、第１の固定セクション及び補強セクションに対応する本体は、透明プラスチック層から形成されてもよい。このように、インデックスタブをシート状部材の縁部に固定するとき、インデックスタブによってシート状部材の縁部上に書かれた文字などを隠すのを防ぐことが可能である。
【００２７】
インデックスタブの別の態様では、補強セクションは、第１の固定セクション側の第１の端部から第２の方向に第２の端部に向かって、第１の方向に内側に傾斜されてもよい。結果として、インデックスタブが固定されるシート状部材の縁部とインデックスタブとの間の境界に容易に集中させることができる変形応力をインデックスタブの内側に分散させることが可能であるため、インデックスタブが接着されるシートをより引き裂きにくくすることが可能である。
【００２８】
インデックスタブの別の態様では、本体は、第１の表示セクションの第２の縁部を対称軸として、第１の表示セクションに対して軸対称に（即ち、軸を中心に対称的に）配設される第２の表示セクションを更に含む。結果として、インデックスタブの両側に表示セクションを提供することが可能である。
【００２９】
インデックスタブの別の態様では、本体は、第２の表示セクションに接続され、かつ第１の表示セクションの第２の縁部を対称軸として、第１の固定セクションに対して軸対称に配設される第２の固定セクションを更に含む。このように、インデックスタブが固定されるシート部材の縁部とインデックスタブとの間の境界に容易に集中させることができる変形応力を第２の固定セクションが低減することが可能であるため、シート部材をより一層引き裂きにくくすることが可能である。
【００３０】
図面を参照しながら、本発明の例示的な実施形態が詳細に後述されるが、本発明は、以下の実施形態に限定されない。
【００３１】
第１の実施形態
図１は、第１の実施形態によるインデックスタブの平面図である。図２〜４は、それぞれ図１の線ＩＩ−ＩＩ、ＩＩＩ−ＩＩＩ、及びＩＶ−ＩＶにおける断面図である。図１〜４に示されるように、インデックスタブ１は、本体２と、本体２の後面全体に配設され、かつ保護的な剥離可能ライナー４に配設される接着層３を含む。ライナー４は、その上面にコーティングされて、例えば、例としてシリコーン樹脂などの剥離材料の薄層でコーティングされて処理され、接着層３に所望の剥離特性を付与してもよく、そのため接着層３を無傷の状態でインデックスタブ１がそこから取り外されることが可能である。ライナー４は、インデックスタブ１の取り扱い及び準備を容易にする。例えば、インデックスライナー１及びライナー４が分離される前に、所望の表示が第１の表示セクション１１に適用されてもよい。ライナー４に配設される２つ以上のインデックスタブを備えるアセンブリが、例えば、プリンタを通過することによって準備されてもよい。
【００３２】
図１に示されるように、本体２は、第１の表示セクション１１、第２の表示セクション１２、第１の固定セクション１３、第２の固定セクション１４、第１の補強セクション１５、及び第２の補強セクション１６を備える。本体２は、予めそれに印刷されるグリッド線などを有してもよい。
【００３３】
第１の表示セクション１１は、鉛筆、ペンなどで見出しを書き込んだり、又はプリンタで見出しを印刷したりするための一セクションであり、インデックスタブ１がシートＳに固定されるときに前面見出しとして機能する（図７参照）。第１の表示セクション１１は、Ｙ方向（第１の方向）に平行な第１の縁部１１ａ及び第２の縁部１１ｂ（即ち、第１の固定セクション１３及び第２の表示セクション１２にそれぞれ接続される第１の表示セクション１１の外周に境界を画定する）と、Ｙ方向に直交するＸ方向（第２の方向）に傾斜されて（平行ではなく）延在する第３の縁部１１ｃ及び第４の縁部１１ｄ（即ち、第１の表示セクション１１の周縁が第１の補強セクション１５及び第２の補強セクション１６にそれぞれ隣接又は接して境界を画定する）とを含む台形を有する。第１の表示セクション１１の第１の縁部１１ａの幅は、例えば、Ｗ１である。
【００３４】
第２の表示セクション１２は、第１の表示セクション１１と同様に、鉛筆、ペンなどで見出しを書き込んだり、又はプリンタで見出しを印刷したりするための一セクションであり、インデックスタブ１が、本、ノート、メモ帳、文書などのシートＳに固定されるときに後面見出し（即ち、第１の表示セクションと反対側）として機能する（図８参照）。第２の表示セクション１２は、第１の表示セクション１１との境界線、即ち、第２の縁部１１ｂを中心に第１の表示セクション１１と軸対称である形状を有し、かつ同一の台形を有する。説明の便宜上、図１では、第１の表示セクション１１及び第２の表示セクション１２、第１の固定セクション１３及び第２の固定セクション１４、並びに第１及び第２の補強セクションの区域の境界は、破線で示される。折り曲げ線、例えば、切り取り点線、折り線、又は部分切り込みなどが、第１の表示セクション１１と第２の表示セクション１２との間の第２の縁部１１ｂ、並びに線１５ａ及び１６ａで本体２に形成され、シートの両側（図示せず）と係合するようにタブ１を折り返すのを容易にしてもよい。折り曲げ線は、シートの両側と係合するように最初は平面のインデックスタブ１を構成するのを容易にする。Ｘ方向における第１の表示セクション１１及び第２の表示セクション１２の長さは、両方ともにＬ１である。
【００３５】
図１及び２に示されるように、第１の固定セクション１３は、接着層３の区分３ａによってインデックスタブ１をシートＳの前側に固定する（図５参照）。第１の固定セクション１３は、第１の表示セクション１１の第１の縁部１１ａに接続されるように形成される。第１の固定セクション１３は、第１の表示セクション１１の幅Ｗ１より長い長手方向において幅Ｗ３を有する矩形を有する。このように、幅が表示セクション１１のものより長いため、第１の固定セクション１３は、インデックスタブ１をシートＳに固定する機能に加えて、従来は引き裂きやすかったシートＳの一部を補強するように作用する。
【００３６】
第１の固定セクション１３の幅Ｗ３と第１の表示セクション１１の幅Ｗ１との差の値は、典型的に約２〜約３０ｍｍ、しばしば好ましくは約５〜約１０ｍｍである。この範囲外の寸法を有するインデックスタブは、本発明に従って使用されてもよいことが理解されるであろう。幅の差が小さ過ぎる場合、シートの引き裂きの補強及び低減の所望の利益は得られない。幅Ｗ３と幅Ｗ１との間の差が大き過ぎる場合、インデックスタブは、シートの部分を見えなくするか、又は取り扱い及び適用することがより困難になる場合がある。
【００３７】
図１〜４に示されるように、第２の固定セクション１４は、接着層３の区分３ｂによってインデックスタブ１をシートＳの後側に固定する（図８参照）。第２の固定セクション１４は、第２の縁部１１ｂを対称軸として、第１の固定セクション１３のものと軸対称である矩形を有する。第２の固定セクション１４は、第２の表示セクション１２の第１の縁部１２ａに接続されるように形成される。第１の縁部１２ａは、第１の表示セクション１１の第２の縁部１１ｂを対称軸として第１の縁部１１ａと軸対称である。第２の固定セクション１４は、第１の固定セクション１３と同様に、第１の表示セクション１１及び第２の表示セクション１２の幅Ｗ１より長い幅Ｗ３を有する。換言すれば、第２の固定セクション１４の幅及び第１の固定セクション１３の幅は同一である。
【００３８】
典型的に、この実施形態に示されるように、Ｘ方向における第１の固定セクション１３及び第２の固定セクション１４の長さは、実質的に等しく、即ち、図示されるようなＬ２である。多くの実施形態では、Ｌ２は、約２〜約２０ｍｍ、時に好ましくは約３〜約１５ｍｍ、より好ましくは約３〜約１０ｍｍである。第１の固定セクション１３及び第２の固定セクション１４の長さＬ２が短過ぎる場合、これらの固定セクションによってシートの得られた補強は不十分である場合があり、インデックスタブ１がシートＳから望ましくなく分離する場合がある。一方、長さＬ２が長すぎると、インデックスタブ１は、シートＳの部分を望ましくなく見えなくする傾向がある場合がある。
【００３９】
図１及び３に示されるように、第１の補強セクション１５及び１６は、シートＳへのインデックスタブ１の固定を補強する。第１の補強セクション１５は、１つの縁部１５ａが第１の固定セクション１３にＹ方向に接続されて形成され、かつ第１の表示セクション１１のＹ方向において縁部１１ｃに隣接して配設される。第１の表示セクション１１と第１の補強セクション１５との間である縁部１１ｃに沿って切り込みが形成されるため、第１の表示セクション１１及び第１の補強セクション１５は、互いに分離される。第１の補強セクション１５は、第１の固定セクション１３側の第１の端部からＸ方向において第２の端部に向かってＹ方向に内側に傾斜されるように形成される台形を有する。
【００４０】
第１の補強セクション１５と第１の固定セクション１３との間の側１５ａの破線上に切り取り点線が形成されてもよい。切り取り点線は、インデックスタブ１をシートＳに固定するために、第２の表示セクション１２を後側に折り返した後、第１の補強セクション１５をシートＳの後側に折り返すときに起点として機能する。
【００４１】
図１及び３に示されるように、第２の補強セクション１６は、第１の補強セクション１５と同様に、接着層３の区分３ｅを有する第２の固定セクション１４の上面の一セクションに固定され、かつそれを覆うことによって（図８参照）、シートＳへのインデックスタブ１の固定を補強する。第２の補強セクション１６は、Ｙ方向においてインデックスタブ１の中心線を対称軸として、第１の補強セクション１５のものと軸対称である台形を有する。第２の補強セクション１６は、一方の縁部１６ａが第１の固定セクション１３にＹ方向に接続されて形成され、かつ第１の表示セクション１１のＹ方向において他方の縁部１１ｄに隣接して配設される。第１の表示セクション１１と第２の補強セクション１６との間である縁部１１ｄに沿って切り込みが形成されるため、第１の表示セクション１１及び第２の補強セクション１６は、互いに分離される。
【００４２】
第２の補強セクション１６と第１の固定セクション１３との間の縁部１６ａの破線上に切り取り点線が形成されてもよい。切り取り点線は、インデックスタブ１をシートＳに固定するために、第２の表示セクション１２を後側に折り返した後、第２の補強セクション１６を後側に折り返すときに起点として機能する。
【００４３】
Ｙ方向における第１の補強セクション１５及び第２の補強セクション１６の幅（縁部１５ａ及び１６ａに相当するセクション）は、同一の幅Ｗ２であり、第１の表示セクション１１の幅Ｗ１と第１の補強セクション１５の幅Ｗ２及び第２の補強セクション１６の幅Ｗ２との和は、第１の補強セクション１３又は第２の補強セクション１４の幅Ｗ３に等しい。第１の補強セクション１５及び第２の補強セクション１６の長さＬ３は、典型的に最小約２ｍｍ、第１及び第２の表示セクションの長さＬ１の最大２倍である。第１の補強セクション１５及び第２の補強セクション１６の長さＬ３が２ｍｍ未満ではない理由は、長さＬ２が２ｍｍ未満である場合、第１の補強セクション１５及び第２の補強セクション１６による補強が不十分であり得るためである。一方、第１の補強セクション１５及び第２の補強セクション１６の長さＬ３が長さＬ１の最大２倍である理由は、長さＬ３が長さＬ１の２倍を超える場合、表示セクション１１及び１２、又は同一平面上に固定セクション１３及び１４を共に効率的に配設することが困難になるためである。図１に示されるように、第１の補強セクション１５及び第２の補強セクション１６の長さＬ３が第２の固定セクション１４の長さＬ２に等しいか、又は少しより短い場合、折り返されるときに第１の補強セクション１５及び第２の補強セクション１６が第２の固定セクション１４から突き出るのを防ぐことが可能であり、固定されるシートＳ上の内容を隠すのを低減することが可能である。
【００４４】
シートＳへの本発明のインデックスタブの適用又は装着は、図５〜９に示される。
【００４５】
最初に、インデックスタブ１がライナー４から剥がされる。次いで、図５に示されるように、インデックスタブ１の第１の固定セクション１３上の接着層３ａがシートＳの表面の縁部に固定される。
【００４６】
次に、図６に示されるように、第２の表示セクション１２及び第２の固定セクション１４は、第２の縁部１１ｂに沿った破線（切り取り点線）を起点として後側に折り返される。この折り返しの結果として、第２の固定セクション１４に対応して接着層３ｂがシートＳの後側に接触され、接着される。第１の表示セクション１１及び第２の表示セクション１２はまた、この折り返しの結果として、接着層３ｄなどがそれらの間に配設されて互いに固定される。
【００４７】
次に、図７〜９に示されるように、第１の補強セクション１５及び第２の補強セクション１６は、縁部１５ａ及び１６ａに沿った破線（切り取り点線）を起点として後側に折り返される。この折り返しの結果として、第１の補強セクション１５及び第２の補強セクション１６は、対応する接着層３ｃ及び３ｅがそれらの間に配設されて第２の固定セクション１４の２つの縁部に固定される。図９では、接着層３は、インデックスタブのセクションの近位を単純に図示するために省略される。
【００４８】
あるいは、インデックスタブ１をシートＳに固定するとき、前述の方法の代わりに、第２の固定セクション１４は、第１の固定セクション１３をシートＳに固定する前に最初にシートＳに固定されてもよく、補強セクション１５及び１６は、第２の表示セクション１２及び第２の固定セクション１４が折り返される前に折り返されてもよい。
【００４９】
上述されるように、本実施形態によるインデックスタブ１は、第１の表示セクション１１の第３の側１１ｃ及び第４の側１１ｄに隣接して配設され、かつ固定セクション１３に接続される補強セクション１５及び１６を含む。したがって、インデックスタブ１のこの実施形態によれば、インデックスタブ１が取り付けられるシートＳの比較的引き裂きやすいインデックスタブ１との境界の近くに補強セクション１５及び１６を配設することが可能であるため、シートＳを引き裂くのをより困難にすることが可能である。
【００５０】
インデックスタブ１では、第１の固定セクション１３及び第２の固定セクション１４の幅Ｗ３は、第１の表示セクション１１又は第２の表示セクション１２の幅Ｗ１と補強セクション１５の幅Ｗ２及び補強セクション１６の幅Ｗ２との和に等しい。この構成の結果として、第１の固定セクション１３及び第２の固定セクション１４の幅Ｗ３を長くすることが可能であり、補強セクション１５及び１６を配設するための位置をコンパクトに確保することが可能である。
【００５１】
インデックスタブ１では、補強セクション１５及び１６は、固定セクション１３側の第１の端部からＸ方向において第２の端部に向かってＹ方向に内側に傾斜されて形成される台形を有する。結果として、インデックスタブ１が固定されるシートＳの縁部とインデックスタブ１との間の境界に容易に集中させることができる変形応力をインデックスタブ１の内側に分散させることが可能であるため、シートＳを引き裂くのをより一層困難にすることが可能である。
【００５２】
インデックスタブ１では、本体２は、第１の表示セクション１１の第２の縁部１１ｂを対称軸として、第１の表示セクション１１に対して軸対称に配設される第２の表示セクション１２を更に含む。結果として、インデックスタブ１によって、その両側に表示セクションを提供することが可能である。
【００５３】
第２の実施形態
インデックスタブ２１が第１の実施形態のインデックスタブ１とほぼ同一の平面形状を有し、材料構成（層構成）がいくつかの点で異なる、インデックスタブの第２の実施形態が図１０に示される。
【００５４】
図１０及び１１に示されるように、インデックスタブ２１は、剥離ライナー４上に配設される、複数の層としてそれぞれ構成される本体２及び２２と、本体２及び２２のそれぞれの後面全体にそれぞれ配設される接着層３及び３３とを含む。
【００５５】
図１１に示されるように、本体２及び２２は、２つの層から構成され、上側層２２が透明プラスチック層から形成され、底側層２が第１の実施形態と同様に同一の紙又はプラスチックフィルムから形成される。上層２２は、第１の実施形態などと同一の矩形の部分的に切り欠かれた（２つの位置で台形）形状を有する。一方、底層２は、第１の表示セクション１１及び第２の表示セクション１２に対応するセクションのみで形成される。底層２は、第１の表示セクション１１及び第２の表示セクション１２のみを含むように構成されるため、底層２の底側に配設される接着層３もまた、表示セクション１１及び１２に対応する区域のみに配設される。
【００５６】
上層２２に使用され得る透明プラスチックフィルムの特定の具体的な例としては、ポリプロピレンフィルム、ポリエチレンフィルム、ポリエステルフィルム、ポリアクリルフィルム、ポリ塩化ビニルフィルム、ポリウレタンフィルムなどが挙げられる。本実施形態では、本体２及び２２は、上述されるように、プラスチック材料又は紙材料と共に使用する。
【００５７】
上層２２は、上述された第１の実施形態と同様に、第１の固定セクション２３、第２の固定セクション２４、第１の補強セクション２５、及び第２の補強セクション２６を含む。第１の固定セクション２３及び第２の固定セクション２４並びに第１の補強セクション２５及び第２の補強セクション２６は、透明プラスチック層から形成されることを除いて、第１の固定セクション１３及び第２の固定セクション１４並びに第１の補強セクション１５及び第２の補強セクション１６と同一である。本体２２は、第１の表示カバーセクション２７及び第２の表示カバーセクション２８を更に含む。
【００５８】
第１の表示カバーセクション２７は、第１の表示カバーセクション２７の下方に位置し、かつ接着層３３がそれらの間に配設されて第１の表示セクション１１を覆う第１の表示セクション１１と同一の形状を有する。第２の表示カバーセクション２８は、第２の表示カバーセクション２８の下方に位置し、かつ接着層３３がそれらの間に配設されて第２の表示セクション１２を覆う第２の表示セクション１２と同一の形状を有する。第１の表示カバーセクション２７及び第２の表示カバーセクション２８は、透明プラスチック層から形成されるため、紙で作製される表示セクション１１及び１２を、第１の表示セクション１１及び第２の表示セクション１２に書き込まれる見出しなどを隠すことなく摩擦、水分、汚れなどから保護することができる。
【００５９】
上述されるように、インデックスタブ２１は、第１の実施形態と同様に、第１の表示セクション１１の第３の側１１ｃ及び第４の側１１ｄに隣接して配設され、かつ第１の固定セクション２３に接続される補強セクション２５及び２６を含む。したがって、インデックスタブ２１によれば、インデックスタブ２１が取り付けられるシートＳの比較的引き裂きやすいインデックスタブ２１との境界の近くに補強セクション２５及び２６を配設することが可能であり、インデックスタブが操作されるときにシートＳを引き裂きに対してより耐性にする。
【００６０】
インデックスタブ２１では、第１の固定セクション２３及び第２の固定セクション２４並びに補強セクション２５及び２６に対応する本体２２は、透明プラスチック層から形成される。したがって、インデックスタブ２１をシートＳの縁部に固定するとき、インデックスタブ２１によってシートＳの縁部に書き込まれる文字などを隠すのを更に防ぐことが可能である。
【００６１】
第３の実施形態
図１２は、インデックスタブ３１が第１の実施形態のインデックスタブ１とほぼ同一の平面形状を有し、平面形状が断面で異なる、第３の実施形態によるインデックスタブの平面図である。以下は、相違点に重点を置く説明である。
【００６２】
図１２に示されるように、インデックスタブ３１は、本体３２及び、ライナー４に配設された本体３２の底面全体に配設される接着層３とを含む。本体３２は、第１の実施形態と類似の紙又はプラスチックフィルムから形成され、かつ第１の表示セクション３７及び第２の表示セクション３８と、第１の固定セクション１３及び第２の固定セクション１４と、第１の補強セクション３５及び第２の補強セクション３６とを含む。第１の表示セクション３７及び第２の表示セクション３８並びに第１の補強セクション３５及び第２の補強セクション３６は、平面形状が異なることを除いて、第１の実施形態の第１の表示セクション１１及び第２の表示セクション１２並びに第１の補強セクション１５及び第２の補強セクション１６と同一である。
【００６３】
第１の表示セクション３７は、第２の表示セクション３８との境界線３７ｂ側の２つの角部が内側に丸められ、第１の固定セクション１３側の２つの角部が外側に丸められる略矩形を有する。第２の表示セクション３８は、境界線３７ｂがそれらの間に配設されて第１の表示セクション３７と軸対称である略矩形を有する。第１の表示セクション３７では、第３の縁部３７ｃ及び第４の縁部３７ｄがＸ方向に平行に延在する。
【００６４】
第１の補強セクション３５は、第１の固定セクション１３側の１つの角部が内側に丸められ、第２の固定セクション１４側の１つの角部が外側に丸められる略矩形を有する。第２の補強セクション３６は、Ｙ方向においてインデックスタブ３１の中心線を対称軸として、第１の補強セクション３５のものと軸対称である略矩形を有する。
【００６５】
上述されるように、インデックスタブ３１は、第１の実施形態と同様に、第１の表示セクション３７の第３の縁部３７ｃ及び第４の縁部３７ｄに隣接して配設され、かつ第１の固定セクション１３に接続される補強セクション３５及び３６を含む。したがって、インデックスタブ３１によって、インデックスタブ３１が取り付けられるシートＳの比較的引き裂きやすいインデックスタブ３１との境界の近くに補強セクション３５及び３６を配設することが可能であるため、シートＳを引き裂くのをより困難にすることが可能である。第３の実施形態では、第１の実施形態のものと共通する構成の作用及び効果が同様にここに示されることに留意されたい。
【００６６】
第４の実施形態
図１３は、インデックスタブ４１が変形された平面形状を有する第４の実施形態によるインデックスタブの平面図である。図１３に示されるように、インデックスタブ４１は、本体４２及び、ライナー４に配設された本体４２の底面全体に配設される接着層３とを含む。本体４２は、第１の実施形態と類似の紙又はプラスチックフィルムから形成され、かつ第１の表示セクション４７及び第２の表示セクション４８と、第１の固定セクション１３及び第２の固定セクション１４と、第１の補強セクション４５及び第２の補強セクション４６とを含む。第１の表示セクション４７及び第２の表示セクション４８並びに第１の補強セクション４５及び第２の補強セクション４６は、平面形状が異なることを除いて、第１の実施形態の第１の表示セクション１１及び第２の表示セクション１２並びに第１の補強セクション１５及び第２の補強セクション１６と同一である。
【００６７】
第１の表示セクション４７及び第２の表示セクション４８は、略矩形を有し、第２の表示区域４８は、境界線４７ｂがそれらの間に配設されて、第１の表示セクション４７と軸対称である。第１の補強セクション４５及び第２の補強セクション４６は、略矩形を有し、第２の補強セクション４６は、Ｙ方向においてインデックスタブ４１の中心線を対称軸として、第１の補強セクション４５のものと軸対称である形状を有する。
【００６８】
上述されるように、インデックスタブ４１は、第１の実施形態と同様に、第１の表示セクション４７の第３の縁部４７ｃ及び第４の縁部４７ｄに隣接して配設され、かつ第１の固定セクション１３に接続される補強セクション４５及び４６を含む。したがって、このインデックスタブ４１によれば、インデックスタブ４１が取り付けられるシートＳの比較的引き裂きやすいインデックスタブ４１との境界の近くに補強セクション４５及び４６を配設することが可能であるため、シートＳを引き裂くのをより困難にすることが可能である。第４の実施形態では、第１の実施形態のものと共通する構成の作用及び効果が同様にここに示されることに留意されたい。
【００６９】
第５の実施形態
図１４は、インデックスタブ５１が更に別の平面形状を有する第５の実施形態によるインデックスタブの平面図である。図１４に示されるように、インデックスタブ５１は、本体５２及び、ライナー４に配設された本体５２の底面全体に配設される接着層３とを含む。本体５２は、第１の実施形態と類似の紙又はプラスチックフィルムから形成され、かつ第１の表示セクション１１及び第２の表示セクション１２と、第１の固定セクション１３及び第２の固定セクション１４と、第１の補強セクション５５及び第２の補強セクション５６とを含む。第１の補強セクション５５及び第２の補強セクション５６は、平面形状が異なることを除いて、第１の実施形態の第１の補強セクション１５及び第２の補強セクション１６と同一である。
【００７０】
第１の補強セクション５５及び第２の補強セクション５６は、略矩形を有し、第２の補強セクション５６は、Ｙ方向においてインデックスタブ５１の中心線を対称軸として、第１の補強セクション５５のものと軸対称である形状を有する。
【００７１】
上述されるように、インデックスタブ５１は、第１の実施形態と同様に、第１の表示セクション１１の第３の縁部１１ｃ及び第４の縁部１１ｄに隣接して配設され、かつ第１の固定セクション１３に接続される補強セクション５５及び５６を含む。したがって、このインデックスタブ５１によれば、インデックスタブ５１が取り付けられるシートＳの比較的引き裂きやすいインデックスタブ５１との境界の近くに補強セクション５５及び５６を配設することが可能であるため、シートＳを引き裂くのをより困難にすることが可能である。第５の実施形態では、第１の実施形態のものと共通する構成の作用及び効果が同様にここに示されることに留意されたい。
【００７２】
第６の実施形態
図１５は、インデックスタブ６１が更に別の平面形状を有する第６の実施形態によるインデックスタブの平面図である。図１５に示されるように、インデックスタブ６１は、本体６２及び、ライナー４に配設された本体６２の底面全体に配設される接着層３とを含む。本体６２は、第１の実施形態と類似の紙又はプラスチックフィルムから形成され、かつ第１の表示セクション１１及び第２の表示セクション１２と、第１の固定セクション１３及び第２の固定セクション１４と、第１の補強セクション６５及び第２の補強セクション６６とを含む。第１の補強セクション６５及び第２の補強セクション６６は、平面形状が異なることを除いて、第１の実施形態の第１の補強セクション１５及び第２の補強セクション１６と同一である。
【００７３】
第１の補強セクション６５は、第１の実施形態における２つの第１の補強セクション１５を組み合わせる五角形を有する。第１の補強セクション６５と第１の表示セクション１１及び第２の表示セクション１２との間に切り込みが形成されるため、第１の補強セクション６５並びに第１の表示セクション１１及び第２の表示セクション１２は、互いに分離される。また、第１の補強セクション６５と第２の固定セクション１４との間に切り込みが形成されるため、第１の補強セクション６５及び第２の固定セクション１４は互いに分離される。
【００７４】
第２の補強セクション６６は、Ｙ方向においてインデックスタブ６１の中心線を対称軸として、第１の補強セクション６５のものと軸対称である五角形を有する。第２の補強セクション６６と第１の表示セクション１１及び第２の表示セクション１２との間に切り込みが形成されるため、第２の補強セクション６６並びに第１の表示セクション１１及び第２の表示セクション１２は互いに分離される。また、第２の補強セクション６６と第２の固定セクション１４との間に切り込みが形成されるため、第２の補強セクション６６及び第２の固定セクション１４は互いに分離される。
【００７５】
上述されるように、インデックスタブ６１は、第１の実施形態と同様に、第１の表示セクション１１の第３の縁部１１ｃ及び第４の縁部１１ｄに隣接して配設され、かつ第１の固定セクション１３に接続される補強セクション６５及び６６を含む。したがって、このインデックスタブ６１によれば、インデックスタブ６１が取り付けられるシートＳの比較的引き裂きやすいインデックスタブ６１との境界の近くに補強セクション６５及び６６を配設することが可能であるため、シートＳを引き裂くのをより困難にすることが可能である。第６の実施形態では、第１の実施形態のものと共通する構成の作用及び効果が同様にここに示されることに留意されたい。
【００７６】
第７の実施形態
図１６は、インデックスタブ７１が部分的に異なる更に別の平面形状を有する第７の実施形態によるインデックスタブの平面図である。図１６に示されるように、インデックスタブ７１は、本体７２及び、ライナー４に配設された本体７２の底面全体に配設される接着層３とを含む。本体７２は、第１の実施形態と類似の紙又はプラスチックフィルムから形成され、かつ第１の表示セクション１１及び第２の表示セクション１２と、第１の固定セクション１３及び第２の固定セクション１４と、第１の補強セクション１５及び第２の補強セクション７６とを含む。第２の補強セクション７６は、レイアウト位置が異なることを除いて、第１の実施形態の第２の補強セクション１６と同一である。
【００７７】
第２の補強セクション７６は、縁部１１ｂに沿った中心線を基準として、レイアウト位置が第１の実施形態の第２の補強セクション１６と軸対称であるように変更される台形を有する。第２の補強セクション７６は、一方の縁部が第２の固定セクション１４とＹ方向に接続されて形成され、かつ第２の表示セクション１２のＹ方向において他方の縁部１２ｄに隣接して配設される。第２の表示セクション１２と第２の補強セクション７６との間である縁部１２ｄに沿って切り込みが形成されるため、第２の表示セクション１２及び第２の補強セクション７６は互いに分離される。インデックスタブ７１をシートＳに固定するとき、第２の補強セクション７６は、それらの間に配設されて、その下側に配設される接着層３の一区分によって、第１の固定セクション１３の上面の一セクションを覆って固定される。
【００７８】
上述されるように、インデックスタブ７１は、第１の実施形態と同様に、第１の表示セクション１１又は第２の表示セクション１２の縁部１１ｃ及び縁部１２ｄに隣接して配設され、かつ第１の固定セクション１３又は第２の固定セクション１４に接続される補強セクション１５及び７６を含む。したがって、インデックスタブ７１によれば、インデックスタブ７１が取り付けられるシートＳの比較的引き裂きやすいインデックスタブ７１との境界の近くに補強セクション１５及び７６を配設することが可能であるため、シートＳを引き裂くのをより困難にすることが可能である。第７の実施形態では、第１の実施形態のものと共通する構成の作用及び効果が同様にここに示されることに留意されたい。
【００７９】
第８の実施形態
図１７は、本体８２が第２の固定セクション１４を含まないことを除いて、インデックスタブ８１がインデックスタブ１のものとほぼ同一である平面形状を有する、第８の実施形態によるインデックスタブの平面図である。インデックスタブ８１は、第１の実施形態と同様に、第１の表示セクション１１の縁部１１ｃ及び縁部１１ｄに隣接して配設され、かつ第１の固定セクション１３に接続される補強セクション１５及び１６を含む。したがって、このインデックスタブ８１によれば、インデックスタブ８１が取り付けられるシートＳの比較的引き裂きやすいインデックスタブ８１との境界の近くに補強セクション１５及び１６を配設することが可能であるため、シートＳを引き裂くのをより困難にすることが可能である。第８の実施形態では、第１の実施形態のものと共通する構成の作用及び効果が同様にここに示されることに留意されたい。
【実施例１】
【００８０】
本発明は、以下の実施例及び比較例において以下に更に詳細に説明する。
【００８１】
（実施例１）
最初に、図１８ａに示される寸法を有する、上述された第１の実施形態の構成を有するインデックスタブＴ１を準備した。また、インデックスタブＴ１は、紙のタブであり、図１９ａに示されるように、８０μｍのライナー上に配置されたアクリル感圧接着剤（アクリル接着剤）が８０μｍの紙の底側に適用される層状構成を有した。
【００８２】
次に、コピー用紙Ｐを図２０に示されるような２００ｍｍ×７０ｍｍの形状に切断した。次いで、図１８ａに示されるインデックスタブＴ１をコピー用紙Ｐに固定した。固定したとき、インデックスタブＴ１の中心線Ｃ１及びコピー用紙Ｐの中心線Ｃ２が同一線上であるように配置した。次いで、切断したコピー用紙Ｐを傾斜して図２０に示されるような線Ｌ１及びＬ２で後面に折り返した。
【００８３】
次に、図２１に示されるように、１５０ｍｍ×７０ｍｍのステンレス鋼板Ｂをコピー用紙Ｐより短い長手方向において寸法で準備した。次いで、コピー用紙Ｐの線Ｌ１及びＬ２を短手方向においてステンレス鋼板Ｂの縁部に重ね合わせ、コピー用紙Ｐの２つの縁部Ｐ１及びＰ２をステンレス鋼板Ｂの後面に折り返し、両面テープで固定した。コピー用紙Ｐを傾斜した方法で折り返し、図２２に示されるように、図面において前側に開口部を有する半円ドーム形を形成するように固着した。コピー用紙Ｐをステンレス鋼板Ｂの前側のステンレス鋼板Ｂには固着しなかった。
【００８４】
次に、図２０及び２２に示されるように、引張り試験機のチャックＨをインデックスタブＴ１の右半分に固着した。このように中心からずれて固着した理由は、固定されたインデックスタブＴ１を中心からずれて掴んだときにシートＳを頻繁に引き裂かれたためである。ステンレス鋼板Ｂを水平面に配置し、次いで図２２に示されるように、チャックＨに固着されたインデックスタブＴ１を１００ｍｍ／分の速度で垂直方向に引っ張った。次いで、コピー用紙Ｐが引き裂かれたときに記録された最大強度が１０．５Ｎであったことを見出した。
【００８５】
比較例Ｃ１
補強セクション１５及び１６を省略したことを除いて、実施例１（第１の実施形態）のインデックスタブＴ１と同一の構成を有するインデックスタブＴ２を準備した。インデックスタブＴ２の寸法が図１８ｂに示される。また、インデックスタブＴ２は、図１９ａに示されるような層構成によって実施例１と同一の紙のタブであった。次に、インデックスタブＴ２に対して実施例１などと同一の引張り試験を行い、コピー用紙Ｐが引き裂かれたときに記録された最大強度が９．０Ｎであったことを見出した。
【００８６】
（実施例２）
次に、２つの層構造が紙及びプラスチックフィルムから作製される本体を有するインデックスタブＴ３を準備した。換言すれば、インデックスタブＴ３は、積層タブであり、図１９ｂに示されるように、アクリル感圧接着剤が８０μｍの紙の底面に適用される層状構成に加えて、アクリル感圧接着剤を使用して２０μｍのＯＰＰフィルムをその上に配設した。インデックスタブＴ３の寸法が図１８ａに示される。次に、インデックスタブＴ３に対して実施例１などと同一の引張り試験を行い、コピー用紙Ｐが引き裂かれたときに記録された最大強度が１０．６Ｎであったことを見出した。
【００８７】
比較例Ｃ２
補強セクション２５及び２６を省略したことを除いて、実施例２のインデックスタブＴ３と同一の構成を有するインデックスタブＴ４を準備した。インデックスタブＴ４の寸法が図１８ｂに示される。また、インデックスタブＴ４は、図１９ｂに示されるような層構成によって実施例２と同一の積層タブであった。次に、インデックスタブＴ４に対して実施例１などと同一の引張り試験を行い、コピー用紙Ｐが引き裂かれたときに記録された最大強度が８．９Ｎであったことを見出した。
【００８８】
このように、インデックスタブの補強セクション１５、１６、２５、及び２６を提供することによって、引き裂かれたときの最大強度が１７％〜１９％（約２０％）向上されたため、インデックスタブが固定されるシートＳを引き裂くのをより困難にすることが可能であることが確認された。
【００８９】
添付図面を参照しながら、本発明を好ましい実施形態と関連付けて完全に説明したが、様々な変更及び修正が当業者に明らかであることに留意されたい。そのような変更及び修正は、添付された特許請求の範囲によって定められるような本発明の範囲から逸脱しない限り、これに含まれるものと理解すべきである。
【図１】
2014524851.tif 000004
【図２】
2014524851.tif 000005
【図３】
2014524851.tif 000006
【図４】
2014524851.tif 000007
【図５】
2014524851.tif 000008
【図６】
2014524851.tif 000009
【図７】
2014524851.tif 000010
【図８】
2014524851.tif 000011
【図９】
2014524851.tif 000012
【図１０】
2014524851.tif 000013
【図１１】
2014524851.tif 000014
【図１２】
2014524851.tif 000015
【図１３】
2014524851.tif 000016
【図１４】
2014524851.tif 000017
【図１５】
2014524851.tif 000018
【図１６】
2014524851.tif 000019
【図１７】
2014524851.tif 000020
【図１８ａ】
2014524851.tif 000021
【図１８ｂ】
2014524851.tif 000022
【図１９ａ】
2014524851.tif 000023
【図１９ｂ】
2014524851.tif 000024
【図２０】
2014524851.tif 000025
【図２１】
2014524851.tif 000026
【図２２】
2014524851.tif 000027
【国際調査報告】
2014524851.tif 000028
2014524851.tif 000029